(57)【要約】【課題】コストを抑えつつも反射を抑制と導光機能の確保を両立し得る照明装置を得る。【解決手段】背景部３２を有する背景板３と、この背景板３の前面に配置され背景板３に面する側に表示部１１を形成してなる導光体１と、この導光体１に光を入射させて表示部１１を照明する光源４と、背景板３の前面と導光体１の背面とに密着するように配置された柔軟性を有する透光部材２と、を備えた照明装置において、導光体１の前面に反射防止層１２を形成し、導光体１の屈折率をｎ１、透光部材２の屈折率をｎ２としたとき、屈折率の差Δｎ（＝ｎ２−ｎ１）を０＞Δｎ＞−０．５の範囲に設定した。【選択図】図１
2010274804.tif 000002
【特許請求の範囲】
【請求項１】
背景部を有する背景板と、この背景板の前面に配置され前記背景板に面する側に表示部を形成してなる導光体と、この導光体に光を入射させて前記表示部を照明する光源と、前記背景板の前面と前記導光体の背面とに密着するように配置された柔軟性を有する透光部材と、を備えた照明装置において、前記導光体の前面に反射防止層を形成し、前記導光体の屈折率をｎ１、前記透光部材の屈折率をｎ２としたとき、屈折率の差Δｎ（＝ｎ２−ｎ１）を０＞Δｎ＞−０．５の範囲に設定したことを特徴とする照明装置。
【請求項２】
前記背景板が透光性基板に前記背景部を施してなり、前記透光性基板の前面側は前記透光部材に密着し、前記透光性基板の背面側に前記背景部が設けられることを特徴とする請求項１記載の照明装置。
【発明の詳細な説明】
【技術分野】
【０００１】
本発明は、例えば自動車やオートバイの指針式計器に組み込まれる照明装置に関するものである。
【背景技術】
【０００２】
この種の照明装置として、例えば下記特許文献１に記載されているものが知られている。この照明装置は、背景板と、この背景板の前面側を覆うように重ねて配置される導光体と、この導光体を照明する光源とを有している。背景板は、合成樹脂からなる基板に黒色等の背景部を印刷してなり、導光体は、透光性合成樹脂によって板材として形成され、背景板に対面する側となる背面に導光体内を進む光を反射することにより所定の表示意匠（計器の目盛）を形成する反射面からなる表示部を備えている。このように黒色の背景部を備えた背景板の前面に表示部を備えた導光体を配置し、導光体内に導いた光源からの光で表示部を照明する構成を採用することにより、黒色の背景中に発光する表示部が浮遊するかのような立体的な見栄えを提供するものである。
【先行技術文献】
【特許文献】
【０００３】
【特許文献１】特許第3966122号
【発明の開示】
【発明が解決しようとする課題】
【０００４】
しかしながら、上記特許文献１記載の照明装置は、導光体の前面側より外光があたると、導光体の前面及び背面と背景板の前面で反射し、表示が見づらくなるという問題があった。この問題を解決するためには、導光体の前面及び背面と背景板の前面の全てに例えば光干渉膜からなる反射防止層を形成することが考えられるが、必要箇所全てに形成すると高価になってしまう。一方、導光体と背景板との境界面の反射を抑えるために、導光体と背景板との間に例えばシリコン製ラバーからなる柔軟な透光部材を密着配置することが考えられるが、反射を抑えるためには透光部材の屈折率を導光体の屈折率に近づける必要があるところ、屈折率を同じにすると、導光体の背面での反射率が落ちるため、導光板の導光機能が失われるという問題がある。
【０００５】
本発明は、この点に鑑みてなされたもので、コストを抑えつつも反射を抑制と導光機能の確保を両立し得る照明装置を得ることを目的とするものである。
【課題を解決するための手段】
【０００６】
本発明は、前記目的を達成するため、背景部を有する背景板と、この背景板の前面に配置され前記背景板に面する側に表示部を形成してなる導光体と、この導光体に光を入射させて前記表示部を照明する光源と、前記背景板の前面と前記導光体の背面とに密着するように配置された柔軟性を有する透光部材と、を備えた照明装置において、前記導光体の前面に反射防止層を形成し、前記導光体の屈折率をｎ１、前記透光部材の屈折率をｎ２としたとき、屈折率の差Δｎ（＝ｎ２−ｎ１）を０＞Δｎ＞−０．５の範囲に設定したことを特徴とする。
このように設定したことにより、反射防止層の形成箇所を導光体の前面だけにしてコストを抑えつつ、導光体と透光部材との屈折率の差Δｎを０＞Δｎ＞−０．５の範囲とすることで反射の抑制と導光機能の確保を両立することができる。
すなわち、差Δｎが０の場合は、導光体の背面と背景板の前面における反射が抑えられ、外光反射を抑制するには有利であるが、光源からの光の反射による導光効率が落ちてしまうため、表示部の照明輝度が低下し、差Δｎが−０．５より大きい場合は、導光体と背景板との間に透光部材が存在せず空気層が存在するかのように導光体の背面と背景板の前面における反射が大きくなり、光源からの光の導光効率は高くなるが、光反射によって表示が見づらくなるものであり、透光部材の屈折率を導光体の屈折率に対して差Δｎ分小さくすることにより、反射の抑制と導光機能をバランスさせることができる。
【０００７】
また本発明は、前記背景板が透光性基板に前記背景部を施してなり、前記透光性基板の前面側は前記透光部材に密着し、前記透光性基板の背面側に前記背景部が設けられることを特徴とする。
このように構成することにより、透光性基板の厚み分、さらに表示部の浮遊感を際だたせることができる。
【発明の効果】
【０００８】
本発明によれば、初期の目的を達成でき、コストを抑えつつも反射を抑制と導光機能の確保を両立し得る照明装置を得ることができる。
【図面の簡単な説明】
【０００９】
【図１】本発明の一実施形態による照明装置の断面図（ハッチング省略）。
【図２】同実施形態における計算値を示す図。
【図３】図２の計算値をグラフ化した図。
【発明を実施するための形態】
【００１０】
図１において、本発明の一実施形態による照明装置は、例えば自動車の計器装置内に組み込まれるもので、導光板１と、透光部材２と、背景板３と、光源４と、から構成されている。
【００１１】
導光体１は、実質的に無色透明な透光性合成樹脂（例えばポリカーボネート）からなり、光源４からの光を側端面から内部に導光する。
【００１２】
導光体１の背面（観察者側とは反対側を向く背景板３側の面）には、白色等の着色層を印刷したり、微細ドット加工を施すことにより、計器装置の指針によって指示される目盛や文字等の表示部（指標部）１１を形成するものである。この表示部１１は導光体１内に導光された光によって発光し、透明な導光板１上に浮き出たように視認される。
【００１３】
導光体１の前面（観察者側を向く面）には、その全面にわたって反射防止層１２が形成され、外光の反射が抑えられている。反射防止層１２は、例えば二酸化チタンや二酸化ケイ素を交互に蒸着した干渉膜からなる。
【００１４】
透光部材２は、例えば実質的に無色透明で且つ柔軟性を有するシート状のシリコン製ラバーからなり、導光体１と背景板３との間に位置して、導光体１の背面と背景板３の後述する透光性基板の前面と空気層が介在しないように密着している。
【００１５】
背景板３は、透光性基板３１と、この透光性基板３１の背面に形成された背景層３２とからなり、この背景板３の前面側に透光部材２を挟んで導光体１が配置されている。
【００１６】
透光性基板３１は、例えばアクリル樹脂やポリカーボネートからなり、その前面は透光部材２と密着している。
【００１７】
背景部３２は、例えば黒色の印刷層からなり、表示部１１の背景となるものである。
【００１８】
このように構成される照明装置において、導光体１の背面と透光性基板３１の前面は、透光部材２に密着しているため、それらの境界での反射が大幅に抑えられため、導光体１と透光性基板３１の厚みと相俟って表示部１１が透明部に浮かんでいるように見える。
【００１９】
一方、導光体１は、それ自体が導光機能を持たなくてはならず、導光体１の内部で全反射条件を満たす必要があり、このため、導光体１に接する透光部材２は、導光体１よりも小さな屈折率が必要である。透光部材２の屈折率が透光部材２の屈折率と同じか、透光部材２の屈折率より大きい場合は、導光体１の背面から光が抜けやすくなり、反射率が低下するため導光機能が損なわれてしまう。また透光部材２の屈折率を導光体１の屈折率よりも小さくする場合であっても外光反射を抑えるには、透光部材２に空気の屈折率よりも大きな屈折率を持たせる必要がある。
【００２０】
そこで本実施形態では、導光体１の屈折率をｎ１、透光部材２の屈折率をｎ２としたとき、屈折率の差Δｎ（＝ｎ２−ｎ１）を０＞Δｎ＞−０．５の範囲に設定している。
【００２１】
これは、図２，図３の計算結果に示すように、差Δｎが０の場合は、導光体１の背面と背景板３（透光性基板３１）の前面における反射が抑えられ、外光反射を抑制するには有利であるが、光源４からの光の反射による導光効率が落ちてしまうため、表示部１１の照明輝度が低下し、差Δｎが−０．５より大きい場合は、導光体１と背景板３（透光性基板３１）との間に透光部材２が存在せず空気層が存在するかのように導光体１の背面と背景板３３（透光性基板３１）の前面における反射が大きくなり、光源４からの光の導光効率は高くなるが、光反射によって表示が見づらくなるためであり、このように透光部材２の屈折率ｎ２を導光体１の屈折率ｎ１に対して差Δｎ分小さくすることにより、反射の抑制と導光機能をバランスさせることができる。なお図２において、導光臨界角θとは図１中、法線に対する導光体１の背面の角度ａ（９０度）から臨界角ｃａを引いた角度であって反射導光可能な臨界角度を示し、反射率Ｒは、導光体１の背面の反射率を示す。
【００２２】
また差Δｎは、０＞Δｎ＞−０．５の範囲に設定すればよいが、車両用計器への適用を考慮した実用レベルで反射の抑制と導光機能をバランスさせる場合、差Δｎは−０．０５から−０．３の範囲に設定するのが望ましい。
【００２３】
本実施形態では、導光体１はポリカーボネートからなるので、その屈折率ｎ１は１．５９であり、透光部材２は、屈折率ｎ２が１．３９なるシリコンラバーを用いているので、Δｎは１．３０−１．５９から−０．２０、反射率Ｒは（１．５９−１．３９／１．５９＋１．３９）の二乗から０．４５％、導光臨界角θは（９０−）ａｓｉｎ（１．３９／１．５９）から２９度となる。
【００２４】
以上のように本実施形態では、背景部３２を有する背景板３と、この背景板３の前面に配置され背景板３に面する側に表示部１１を形成してなる導光体１と、この導光体１に光を入射させて表示部１１を照明する光源４と、背景板３の前面と導光体１の背面とに密着するように配置された柔軟性を有する透光部材２と、を備えた照明装置において、導光体１の前面に反射防止層１２を形成し、導光体１の屈折率をｎ１、透光部材２の屈折率をｎ２としたとき、屈折率の差Δｎ（＝ｎ２−ｎ１）を０＞Δｎ＞−０．５の範囲に設定したことにより、反射防止層の形成箇所を導光体の前面だけにしてコストを抑えつつ、導光体と透光部材との屈折率の差Δｎを０＞Δｎ＞−０．５の範囲とすることで反射の抑制と導光機能の確保を両立することができる。
【００２５】
また本実施形態では、背景板３が透光性基板３１に背景部３２を施してなり、透光性基板３１の前面側は透光部材２に密着し、透光性基板３１の背面側に背景部が設けられることにより、透光性基板３１の厚み分、さらに表示部の浮遊感を際だたせることができる。
【符号の説明】
【００２６】
１  導光板
２  透光部材
３  背景板
４  光源
１１  表示部
１２  反射防止層
３１  透光性基板
３２  背景層
ｎ１，ｎ２  屈折率
Δｎ  差
θ  導光臨界角
ａ  角度
ｃａ  臨界角
Ｒ  反射率
【図１】
2010274804.tif 000003
【図２】
2010274804.tif 000004
【図３】
2010274804.tif 000005